(57)【要約】【構成】本発明は、覗き孔などのドアビューアー用防犯カバーに関する。この防犯カバーは覗き孔にアライメントする前方開口、後方観察ポートおよびアイカップを有する。さらに、本発明防犯カバーはシャッター機構を有し、このシャッター機構は、アクチュエータに手をかけることによって閉じた位置から開放位置に変位可能である。操作時には、ドアビューアーをカバーするように防犯カバーをドアに結合する。【選択図】図１
2014535019.tif 000002
【特許請求の範囲】
【請求項１】
ドアに挿入するドアビューアーを対象とする防犯カバー装置において
第１側部および第２側部を有し、この第１側部がドアビューアーを備えたドアに結合する結合部材、および
前記結合部材の第２側部に沿って前記結合部材に解放自在に結合するシャッター装置からなり、
前記シャッター装置が、第１観察孔が第２観察孔に対して全体的に同軸方向に配向したシャッターハウジング、
前記シャッターハウジング内に設けられ、前記ハウジングに入射する光の量を変更するシャッター部材、および
前記シャッター部材と連絡し、前記ハウジングに対して第１シャッター部材位置から第２シャッター部材位置に前記シャッター部材を選択的に変位させるアクチュエータからなることを特徴とする防犯カバー装置。
【請求項２】
前記ハウジングが前記ハウジングに光を入射させる開口を構成し、
前記第１シャッター位置において、前記シャッター部材が前記開口にアラインメントし、光が前記ハウジングに入射することを防止するように前記シャッター部材を配向し、そして
前記第２シャッター位置において、前記シャッター部材が前記開口に対するアライメントから外れて、光が前記ハウジングに入射する請求項１に記載の防犯カバー装置。
【請求項３】
前記シャッターハウジングが、前記ハウジング内に延在するチャネルからなり、
前記シャッターが、前記アクチュエータと連絡する変位可能なシールド部分、および前記ハウジングの内面から半径方向に前記チャネルに延在する固定シールド部分からなる請求項１に記載の防犯カバー装置。
【請求項４】
前記シャッターがディスクからなり、そして前記アクチュエータが前記ハウジングから延在するディスク部分に一体的に形成した半径方向アームからなる請求項１に記載の防犯カバー装置。
【請求項５】
前記シャッター装置が、さらに、可撓性リムを有するアイカップからなる請求項１に記載の防犯カバー装置。
【請求項６】
前記シャッターハウジングが、前記ハウジングの外面に半径方向に延在するタブからなり、そして
前記ベース部材が、前記タブを受け取るフックを有する本体からなり、このフックが前記シャッターハウジングを前記ベース部材に解放自在に装着する請求項１に記載の防犯カバー装置。
【請求項７】
前記シャッターハウジングが全体として環状の本体からなり、この本体周囲に複数の半径方向ボスを所定角度で離間配置し、
前記ベース部材が全体として環状の本体からなり、この本体周囲に複数の係合フックを所定角度で離間配置して前記シャッターハウジングの対応するボスにアライメントするようにし、そして
各フックが対応するボスを前記シャッターハウジングに装着し、前記シャッター装置を前記ベース部材に接続する請求項１に記載の防犯カバー装置。
【請求項８】
前記ベース部材が、さらに、第１側部およびこの第１側部に対向する第２側部からなり、
前記ベース部材の前記第１側部が、前記ベース部材を前記ドアに固定する作用をもつ接着剤層からなり、そして
前記第２側部が、前記シャッター装置に解放自在に係合する作用をもつ結合機構を有する請求項１に記載の防犯カバー装置。
【請求項９】
前記ハウジングが、ハウジングの外壁に形成したスロットからなり、そして
このスロットを通るアクチュエータを前記ハウジングに延設した請求項１に記載の防犯カバー装置。
【請求項１０】
前記アクチュエータに手をかけて、前記シャッター部材が前記ハウジング内に位置する第１位置から、前記シャッター部材が前記スロットを介して前記ハウジングから延在する第２位置に前記シャッター部材をピボット回転する請求項９に記載の防犯カバー装置。
【請求項１１】
ドアビューアー用防犯カバー装置において、前記防犯カバーが、
第１側部および第２側部を有し、この第１側部がドアビューアーを備えたドアに結合する結合部材、および
前記結合部材の第２側部に沿って前記結合部材に解放自在に結合するシャッター装置からなり、
このシャッター装置が、
第１観察開口およびこの第１観察開口に対して全体として同軸関係にある第２観察開口を有する本体、およびハウジングの周辺にそって延在するスロットを有するシャッターハウジング、
前記ハウジングにピボット回転できるように結合され、前記シャッターハウジングに入射する光をブロックするシールドを有すシャッター、および
前記シールドに連絡するアクチュエータであって、前記シールドが前記シャッターハウジング内に位置する第１シールド位置から、前記シールドが前記スロットを介して前記ハウジングから少なくとも部分的に延在する第２シールド位置に前記シールドを変位させるアクチュエータからなることを特徴とする防犯カバー装置。
【請求項１２】
前記シャッターハウジングが、前記ハウジングに延設したチャネルおよび前記ハウジングの内面から前記チャネルに半径方向に突設した固定シールド部分からなり、そして
前記の変位可能なシールドが前記固定シールドと連動して前記チャネルに入射する光をブロックする請求項１１に記載の防犯カバー装置。
【請求項１３】
前記シールドを前記アクチュエータと一体形成した請求項１１に記載の防犯カバー装置。
【請求項１４】
前記シャッター装置が、さらに、可撓性リムを有するアイカップからなる請求項１１に記載の防犯カバー装置。
【請求項１５】
前記シャッターハウジングが、前記ハウジングの外面に半径方向に突設したロック作用タブからなり、そして
前記ベース部材が、前記ロック作用タブを受け取って、前記シャッター装置を前記結合部材に装着する本体からなる請求項１１に記載の防犯カバー装置。
【請求項１６】
前記シャッターハウジングが全体として環状の本体からなり、この本体周囲に複数の半径方向ボスを所定角度で離間配置し、
前記ベース部材が全体として環状の本体からなり、この本体周囲に複数の係合フックを所定角度で離間配置して前記シャッターハウジングの対応するボスに全体としてアライメントするようにし、そして
各フックが対応するボスを前記シャッターハウジングに装着し、前記シャッター装置を前記ベース部材に接続する請求項１１に記載の防犯カバー装置。
【請求項１７】
前記ベース部材が、さらに、第１側部およびこの第１側部に対向する第２側部からなり、
前記ベース部材の前記第１側部が、前記ベース部材をドアに固定する作用をもつ接着剤層からなり、そして
前記第２側部が、前記シャッター装置に解放自在に係合する作用をもつ結合機構を有する請求項１１に記載の防犯カバー装置。
【請求項１８】
ドアに設けられたドアビューアー装置を防犯化する方法において、
第１側部および第２側部を有し、この第１側部がドアビューアーを備えたドアに結合する結合部材、および
前記結合部材の第２側部に沿って前記結合部材に解放自在に結合するシャッター装置からなり、
前記シャッター装置が、第１観察孔が第２観察孔に対して全体的に同軸方向に配向したシャッターハウジング、
前記シャッターハウジング内に設けられ、前記ハウジングに入射する光の量を変更するシャッター部材、および
前記シャッター部材と連絡し、前記ハウジングに対して第１シャッター位置から第２シャッター位置に前記シャッター部材を選択的に変位させるアクチュエータからなる防犯カバーを用意し、
前記結合部材を前記ドアに結合し、
前記シャッター装置を前記結合部材に結合し、そして
前記アクチュエータに手をかけて、前記シャッターを前記第１シャッター位置から前記第２シャッター位置に変位させることからなることを特徴とする前記方法。
【発明の詳細な説明】
【技術分野】
【０００１】
本発明は、覗き穴などのドアビューアー装置用防犯カバーに関する。
【背景技術】
【０００２】
覗き穴などのドアビューアー装置は、ドアの一方の側（例えば内側などの）に設けたビューアーによってドアの他方の側（例えば外側）にいる訪問者を観察する防犯装置である。例えば、このようなドアビューアー装置は、ドアの正面にある各種物体の仮想像を発生するレンズ系を有する。操作にさいしては、ドアの後ろに立つユーザーがドアビューアー装置を通してドア周囲付近のエリアを観察し、これによってドアを開く前に訪問者の身元や物体が何であるかを確認する。従来からのドアビューアー装置にはいくつかの欠点がある。第１に、従来のドアビューアー装置は、観察方向が両方向である。即ち、これらのドアビューアー装置の場合、内側にいる者がドア正面にあるエリアを観察できるものであるが、ドアの正面に立つ者もドアの後ろ側付近のエリアを観察できる。さらに、従来ドアビューアー装置の場合、外側にいる観察者（即ち、ドアの正面に立つ者）も、内側に観察者がドアに近づき、覗き穴から覗くさいに生じる光の変化に気づく。覗き穴内の光の変化（例えば明→暗変化）を察知することによって、外側の観察者が誰であるか構造物（例えば、家屋、アパート、事務所など）内からドアまで来たことに気付くため、構造物内に居る者の安全性を脅かすことになる。
【０００３】
即ち、外側にいる訪問者が、防犯が必要なエリア（例えば、家屋、事務所など）を窺知できなくするだけでなく、内側にいる観察者が観察時に生じる恐れのある光変化を起こさずにドアビューアー装置から覗くことができる防犯装置が望まれている。
【発明の概要】
【０００４】
本発明は、覗き穴などのドアビューアー装置を対象とする防犯カバーに関する。この防犯カバーは前方孔、この前方孔とアラインメントした後方孔、およびこれら孔の間に設けたシャッター機構を有する。このシャッター機構は、アクチュエータの係合によって閉じた位置から開放した位置に変位可能である。操作時、本発明防犯カバーの場合、覗き穴を取り囲み、前方孔が覗き穴の観察ポートにアライメントするようにドアに結合する。さらに、防犯カバーにはアイカップをその後方プレートに取り付けることができる。
【図面の簡単な説明】
【０００５】
【図１Ａ】本発明の一態様に従って構成したドアビューアー用防犯カバーを示す正面斜視図である。
【図１Ｂ】図１Ａに示す防犯カバーを示す後側斜視図である。
【図２】図１Ａに示す防犯カバーを示す展開図である。
【図３Ａ−３Ｂ】シャッター機構の動作を示すためにアイカップおよびバックパネルを取り外した状態にある、図１Ａに示す防犯カバーを示す後側斜視図である。
【図４】本発明のもう一つの態様に従って構成した防犯カバーを示す展開図である。
【図５Ａ−５Ｂ】シャッター機構の動作を示すためにアイカップおよびバックパネルを取り外した状態にある、図４に示す防犯カバーを示す後側斜視図である。
【図６】本発明の別な態様に従って構成した防犯カバーを示す展開図である。
【図７Ａ−７Ｂ】シャッター機構の動作を示すためにアイカップおよびバックパネルを取り外した状態にある、図６に示す防犯カバーを示す後側斜視図である。
【図８】本発明のさらに別な態様に従って構成した防犯カバーを示す展開図である。
【図９Ａ−９Ｂ】それぞれ閉じた位置および開放位置にあるシャッター機構の動作を示すためにアイカップおよびバックパネルを取り外した状態にある、本発明の一態様に従って構成した防犯カバーを示す後側斜視図である。
【図１０Ａ−１０Ｃ】シャッター機構の動作を示す、図９Ａの装置の後側平面図である。
【図１１】本発明の一態様に従って構成したドアビューアー用防犯カバーを示す図である。
【図１２Ａ】本発明の一態様に従って構成したドアビューアー用防犯カバーを示す図である。
【図１２Ｂ】図１２Ａに示す防犯カバーを示す展開図である。
【図１３Ａ−１３Ｄ】図１２Ａに示す防犯カバーのベース部材を示す図である。
【図１４】図１３Ａに示すベース部材のフックを示す拡大図である。
【図１５Ａ−１５Ｆ】図１２Ａに示す防犯カバーのシャッター装置を示す図である。
【図１６】図１２Ａに示す防犯カバーをハウジングの後方部から示す図である。
【図１７Ａ−１７Ｃ】図１２Ａに示す防犯カバーの動作を示す図である。
【図１８Ａ−１８Ｂ】覗き穴として使用できる、図１２Ａに示す防犯カバーを示す図である。
【図１９】本発明の一態様に従って構成したドアビューアー用防犯カバーを示す横断面図である。
【０００６】
本明細書全体を通じて同じ参照符号を使用して同じ要素を示すことにする。
【発明を実施するための形態】
【０００７】
図１Ａおよび図１Ｂは、本発明の一実施態様に従って構成したドアビューアー用防犯カバーを示す図である。図示のように、防犯カバー１０は本体またはハウジング１００を有し、この本体は全体として円筒形の側壁１０５、前方孔１１５を備えた前方プレート１１０、および後方孔即ち観察孔１２５を備えた後方プレート１２０を有する。（例えば、双眼鏡に見られるものと類似の）アイカップまたはアイシールド１３０を、観察孔を取り囲む後方プレート１２０に結合する。図示のように、前方プレート１１０は、本体の前方端部から軸方向に離間した状態で、本体１００に収める。この前方プレートが全体として環状の前方リム１３５を構成し、これがドア面に接触する。このリム１３５については、ドア面に結合するように処理することができる。例えば、リム１３５には接着剤を塗布することができる。別な実施態様では、防犯カバー１０には本体１００から半径方向に延在する（グロメットなどの）一つかそれ以上の固定部材を設けることができ、クギやネジなどの固定部材を利用してカバー１０をドアに固定することができる。使用するさいには、防犯カバー１０をドアの後面に接続し、リム１３５によってドアビューアーの観察ポートを取り囲み、かつ前方孔を全体としてこの観察ポートにアライメントする。一旦ドアに接続すると、内側の観察者（即ち、ドアの後ろ側または内側にいる者）が目をアイカップ１３０に押しつけ、後方孔１２５および前方孔１１５を通して、またドアビューアーを通して観察できる。
【０００８】
さらに、防犯カバー１０は孔１１５と１２５との間にシャッター機構を有し、これによって観察孔１２５を選択的に開閉できる。図２について説明すると、前方プレート１１０の後側２０５、は第２ポスト２１０Ｂから横方向に離間した第１ポスト２１０Ａを有する。各ポスト２１０Ａ、２１０Ｂは後側、即ち前方プレート１１０から軸方向に延在する。第１シャッター部材２２０Ａを第１ポスト２１０Ａにピボット式で取り付けるとともに、第２シャッター部材２２０Ｂを第２ポスト２１０Ｂにピボット式で取り付ける。これらシャッター部材２２０Ａ、２２０Ｂはこれら部材にまたがる偏奇部材２２５（例えばバネ）を介して上記孔の中心に向かって（即ち相互に対して）偏奇させることができる。
【０００９】
第１シャッター部材２２０Ａは、全体として半円形の本体２３０Ａを有し、直線的な縁部分２３５Ａおよび円形の縁部分２４０Ａを有する。さらに、この本体２３０Ａはその中心に近い部分にそって切頭領域２４５を有し、この領域は第２シャッター２２０Ａの延在領域と摩擦係合する形状に構成する。第２シャッター部材２２０Ｂは全体として半円形の本体２３０Ｂを有し、全体として直線状の縁部分２３５Ｂおよび全体として円形の縁部分２４０Ｂを構成する。シャッター部材２２０Ａ、２２０Ｂの円形縁部分２４０Ａ、２４０Ｂの曲率半径は、側壁内面の曲率半径に対応させることができる。このような形状を取るため、円形縁部分２４０Ａ、２４０Ｂはそれぞれの側壁領域の輪郭に対応する。さらに、本体１００の内面２４７は凹部２４８を有し、後方プレートが載る（１２０）環状ショルダー部分を構成する。
【００１０】
さらに、第２シャッター部材２２０Ｂは、本体２３０Ｂから半径方向に延在するレバー２５０を有する。このレバー２５０のベース２５２は、第１シャッター本体２３０Ａの切頭領域２４５に係合する形状に構成しているため、第２シャッター部材２２０Ｂが回転すると、（以下に詳しく説明するように）第１シャッター部材２２０Ａが反対方向に回転する。第２シャッター部材２２０Ｂのレバー２５０の遠位部分は、ハウジング１００の側壁１０５に形成された細長いスロット２５５内に延在する。このスロット２５５は、使用者が操作時にレバー２５０を操作する操作長さを構成することになる。
【００１１】
次に、防犯カバー１０の操作を図３Ａおよび図３Ｂについて説明する。偏奇部材２２５によって、シャッター部材２２０Ａ、２２０Ｂの直線状縁部分２３５Ａ、２３５Ｂが相互に接触する正常位置、即ち閉じた位置にあるシャッター部材２２０Ａ、２２０Ｂが偏奇する。この位置では、各シャッター部材２２０Ａ、２２０Ｂの本体２３０Ａ、２３０Ｂが前方孔１１５の少なくとも一部をブロックする。この状態では、ドアの内側にいる観察者は、カバー１０を透視できない。同様に、ドアの外側にいる観察者もドアビューアー内部の光変化を見ることができず、またドア内面に近接するエリアを見ることができない。内側にいる観察者がドアビューアーを覗き込みたい場合には、（矢印Ｆで示す）レバー２５０によって第２シャッター部材２２０Ｂ（即ちベース２５２）の上部円が第１シャッター部材２２０Ａの上部円（即ち切頭部分２４５）に向かって（即ち図３Ｂの斜視図から時計方向に）回転する。第２シャッター部材２２０Ｂが回転すると、レバー２５０のベース２５２が第１シャッター部材２２０Ａの切頭部分２４５に摩擦係合する結果、第２シャッター部材２２０Ｂが時計回りに回転すると第１シャッター部材２２０Ａが反時計方向に回転する。この結果、シャッター部材２２０Ａ、２２０Ｂが分離し、正常な閉じた位置（図３Ａ）から開放位置（図３Ｂ）に移動する。シャッター部材２２０Ａ、２２０Ｂの外側の円形縁部分２４０Ａ、２４０Ｂが側壁１０５の内面２４７の輪郭に形状が対応しているため、これらシャッター部材が側壁に当接する。このように構成しているため、開放位置では、シャッター部材２２０Ａ、２２０Ｂの本体２３０Ａ、２３０Ｂが前方孔１１５および後方孔１２５を開け、内側にいる観察者がカバー１０およびドアビューアー装置を透視することができる。
【００１２】
このように、本発明はドアビューアーを備えた任意の通常のドアに装着できるコストが低く、操作の簡単な装置を提供するものである。カバー１０はその閉じた位置において偏奇状態にある。この結果、外側にいる観察者（即ち、ドアの正面に立つ観察者）はドアビューアーを覗き込んで、防犯処置が施された構造物（例えば家屋、アパートなど）の内部を窺知できない。加えて、外側にいる観察者は、内側にいる観察者がドアビューアー装置に近づくさいに生じる光変化を気がつくことはない。内側にいる観察者がドアビューアー装置を覗き込みたい場合、目をアイカップ１３０に押し付けるだけでよく、ドアビューアー装置を遮光でき、次にレバー２５０に手をかけ、シャッター機構を上述のように開けばよい。この状態で、内側にいる観察者は外側にいる観察者（訪問者）を観察でき、訪問者の身元を確認することができる。この観察プロセスでは、訪問者は内側にいる観察者の存在に気が付かない状態にいる。というのは、光変化に気付くことができないからである。
【００１３】
図４は、本発明のもう一つの態様に従って構成したドアビューアー用防犯カバー４０を示す図である。図示のように、この防犯カバー４０は上記構造と同様な構造を有し、側壁４０５、および前方プレート４１５の後側４１０に設けた軸方向に延在するポスト４０７Ａ、４０７Ｂを有するハウジング４００からなる。この構成の場合、さらに、第１シャッター部材４２０Ａが第１レバー４２５Ａおよび第１本体４３０Ａを有し、そして第２シャッター部材４２０Ｂが第２レバー４２５Ｂおよび第２本体４３０Ｂを有する。即ち、２つのシャッター部材を制御する独立した一つのレバーを備えた機構の代わりに、各シャッター部材４２０Ａ、４２０Ｂは、本体４３０Ａ、４３０Ｂから半径方向に延在したレバー４２５Ａ、４２５Ｂを有する。さらに、シャッター本体４３０Ａ、４３０Ｂはギヤで接合していない。加えて、ハウジング４００は、第１レバー４２５Ａに対応する第１スロット４３５Ａおよび第２レバー４２５Ａに対応する第２スロット４３５Ｂを有する。
【００１４】
操作時、シャッター機構は図５Ａに示すように、通常の閉じた位置にある。内側にいる観察者がレバー４２５Ａ、４２５Ｂに手をかけ、相互に向けて動かす（例えば、Ｆ１およびＦ２で示すように、レバーを押しこむ）。各シャッター部材４２０Ａ、４２０Ｂがそれぞれのポスト４０７Ａ、４０７Ｂでピボットするため、第１シャッター部材４２０Ａが一方の方向（例えば、Ｒ２で示す反時計方向）に回転する一方で、第２シャッター部材４２０Ｂが反対方向（例えばＲ１で示す時計方向）に回転する。本体４３０Ａ、４３０Ｂが前方孔４５０および後方孔４６０を開けるまで、シャッター部材４２０Ａ、４２０Ｂが回転する。一旦前方孔４５０が開くと、内側にいる観察者が防犯カバー１０およびドアビューアー装置を透視することができ、ドア正面に近接するエリアを調べることができる。レバー４０５Ａ、４０５Ｂが開放されると、偏奇部材４５５によってシャッター部材４２０Ａ、４２０Ｂが通常（閉じた）位置に戻り、各本体４３０Ａ、４３０Ｂが前方孔４５０の少なくとも一部をブロックする。
【００１５】
図６は、本発明の別な態様に従って構成したドアビューアー用防犯カバーを示す図である。図示のように、防犯カバー６０はハウジング６００からなり、このハウジングは前方孔６１５を構成する前方プレート６１０を備えた側壁６０５、後方孔即ち観察孔６２５を構成する後方プレート６２０、および前方プレート６１０の後側６３０から遠位方向に延在する軸方向ポスト６２７を有する。さらに、カバー６０は独立した一つのシャッター部材６４０を有し、このシャッター部材６４０は全体として円形の本体６４５およびこれから半径方向に延在するレバー６５０を有する。さらに、ハウジング６００の側壁６０５は、シャッター部材６４０を通すことができるスロット６６０を有する。他の実施態様と同様に、カバー６０の場合、さらにアイカップ６７０を後方プレート６２０に固定する。
【００１６】
上記装置の操作について、図７Ａおよび図７Ｂを参照して説明する。図示のように、（Ｆ３で示すように）レバー６５０をピボットすると、シャッター部材６４０の本体６４５が覗き孔６２５とのアライメントから外れ、内側にいる観察者がドアビューアー装置を介して覗くことが可能になる。レバー６５０を解除すると、重力作用によってシャッター部材６４０がその通常の閉じた位置に戻る。
【００１７】
図８〜図１０は、本発明の別な態様に従って構成したドアビューアー装置用防犯カバーを示す図である。図示のように、防犯カバー８０はハウジング８００からなり、このハウジングはリム８０７を構成する側壁８０５、前方孔８１５を構成する前方環状プレート８１０および後方孔即ち覗き孔８２５を構成する後方環状プレート８２０を有する。図示のように、リム８０７はさらに接着剤８４０を塗布してから、剥離紙８４５でカバーする。
【００１８】
図９Ａおよび図９Ｂについて説明すると、シャッター機構は光学ダイアフラム９００の形を取り、上記と同様な方法で（ただし、ポストの図示は省略）前方プレート後ろ側から延在するポストを介して前方プレート８１０の後ろ側にピボット結合した複数のブレード９０５Ａ〜９０５Ｆを有する。各ブレード９０５Ａ〜９０５Ｆは全体として涙滴形であり、狭い近位端部および広い遠位端部を有する。また、各ブレードには、このブレードに沿って、ブレードの外縁部に近接する中間位置に従動ピン９１０Ａ〜９１０Ｆを設ける。加えて、後方プレート８２０にはさらに所定の角度で複数のラジアルスロット８１５Ａ〜８１５Ｆを設ける。各従動ピン９１０Ａ〜９１０Ｆはそれぞれのスロット８１５Ａ〜８１５Ｆに受け取られ、このスロットが各ブレードの通路を構成する。なお、ダイアフラム９００のブレード数は任意に設定することができる。さらに付言すれば、各ブレードの寸法および形状については、本発明の目的に適う限り任意に設定することができる（例えば、形状については多角形でもよい）。
【００１９】
図１０Ａ〜図１０Ｃについて説明する。このように構成した場合、（Ｒ４によって示すように）後方プレート８２０が回転すると、各従動ピン９１０Ａ〜９１０Ｆがそれぞれのスロット８１５Ａ〜８１５Ｆにそって移動し、各ブレード９０５Ａ〜９０５Ｆが半径方向にピボット動作し、各ブレードが前方孔８１５（図１０Ａ）を開ける開放位置から各ブレードが前方孔（図１０Ｃ）の少なくとも一部をブロックする閉じた位置（図１０Ｃ）に回転する。即ち、遠位ブレード端部を構成するブレードの幅の広い端部が閉じた位置において前方孔８１５の少なくとも一部をカバーする。シャッター機構を閉じるためには、後方プレート８２０を逆方向に回転する。
【００２０】
図１１は、本発明の一実施態様に従って構成したドアビューアー装置用防犯カバーを示す図である。図示のように、この防犯カバー１１００は、図１Ａおよび図１Ｂを参照して説明した防犯カバーと同様な構造からなる。ただし、この構成では、偏奇部材１１０５は第２シャッター部材１１１０Ｂの遠位端部に結合したコイルバネである。図１Ａを参照して説明した実施態様と同様に、第２シャッター部材１１１０Ｂが動くと、これに対応して第１シャッター部材１１１０Ａが動く。
【００２１】
図１２〜図１８は、本発明の別な態様に従って構成したドアビューアー用防犯カバーを示す図である。図１２Ａおよび図１２Ｂについて説明すると、防犯カバー１２００はベース部材即ち結合部材１２０５およびこのベース部材に結合したシャッター装置１２１０を有する。ベース部材１２０５については、ドアビューアーを含むドアのエリアにシャッター装置１２１０が結合するように構成する。図１３Ａ〜図１３Ｄについて説明すると、ベース部材１２０５は、第１端部または側部即ちドアに面する端部または側部１３１０Ａおよび第２端部または側部即ちシャッターに面する端部または側部１３１０Ｂを構成する本体１３０５からなる。この本体１３０５は全体として環状であり、内壁１３１５が構成する中心開口または孔１３１２を有する。この本体１３０５は、シャッターに面する側部１３１０Ｂの方向にテーパー状に構成することができる。即ち、本体の外径をそのドアに面する側部１３１０Ａおよびより狭いシャッターに面する側部１３１０Ｂに沿って広くすることができる。換言すると、本体１３０５は全体的に円錐台形（ｆｒｕｓｔｏｃｏｎｉｃａｌ）であればよい。それによってドアに面する側部１３１０Ａに沿う開口１３１２の直径を、シャッターに面する側部１３１０Ｂに沿う開口１３１２の直径よりも大きく設定することができる。
【００２２】
上記ベース部材１２０５は、さらに、本体１３０５のシャッターに面する面１３１０Ｂから遠位方向に突出する一つかそれ以上の案内壁を有する。図示の実施態様では、ベース部材１２０５は、本体の内側周囲１３２２にそって所定角度で離間配置した３つの軸方向案内壁１３２０Ａ、１３２０Ｂ、１３２０Ｃを有する。例えば、案内壁１３２０Ａ〜１３２０Ｃは等距離離間して設けることができ、そして各案内壁１３２０Ａ〜１３２０Ｃは本体に沿って所定間隔で設けることができる。例えば、第１案内壁は、内壁１３１５によって構成される本体１３０５の内側周囲にそってほぼ２５°〜３５°延在し、第２案内壁１３２０Ａおよび第３案内壁１３２０Ｃは、それぞれ内壁１３１５によって構成される本体１３０５の内側周囲にそってほぼ４５°〜５５°延在することができる。なお、案内壁１３２０Ａ〜１３２０Ｃについては、本発明の目的に適う限り、任意の寸法（高さ、幅、長さ）および任意の形状に設定することができる。加えて、本体１３０５の案内壁数は任意に設定することができる。操作時、これら案内壁１３２０Ａ〜１３２０Ｃがシャッター部材ハウジングの内面に係合し、ベース部材への結合時にシャッター装置を所定位置に維持する。
【００２３】
ベース部材１２０５のドアに面する側部１３１０Ａの面については、ベース部材がドア面に取り付けられるように構成することも可能である。例えば、ドアに面する面には、（感圧接着剤などの）接着剤の層を塗布することができ、適宜この層に剥離紙を設けることができる。あるいは、本体１３０５は、（固定手段が通る固定手段（ネジ）チャネルなどの）固定手段を使用できるように構成することも可能である。
【００２４】
さらに、ベース部材１２０５は接続機構を有し、これがシャッター装置１２１０の対応する接続機構に係合し、シャッター装置をベース部材に結合する。例えば、ベース部材１２０５には、シャッターハウジングの対応する要素を受け取る一つかそれ以上の軸方向ノッチおよび/またはフックを設けることができる。図１３Ａに触れると、ベース部材１２０５は、所定の角度位置において本体１３０５を軸方向に延在する複数の軸方向ノッチを有する。図示の実施態様では、接続機構は、本体１３０５に所定の角度で離間配置され、それぞれが隣接軸方向壁１３２０Ａ〜１３２０Ｃの間に位置する３つの軸方向ノッチ１３２５Ａ、１３２５Ｂ、１３２５Ｃを有する。本発明の目的に適う限り、ノッチ１３２５Ａ〜１３２５Ｃの形状および寸法は任意に設定することができる。図示の実施態様では、ノッチ１３２５Ａ〜１３２５Ｃは多角形であり、本体１３０５において半径方向に延在する。
【００２５】
さらに、接続機構には、シャッター装置に設けられた対応するロック作用タブに係合する一つかそれ以上のフックを設けることができる。図示の実施態様では、接続機構は３つのフック１３３０Ａ、１３３０Ｂ、１３３０Ｃを有し、それぞれがノッチ１３２５Ａ〜１３２５Ｃに対応する。各フック１３３０Ａ〜１３３０Ｃは、本体１３０５のシャッターに面する側部１３１０Ｂから軸方向に延在し、全体として半径方向において対応するノッチ１３２０Ａ〜１３２０Ｃにアライメントする。図１４について触れると、各フック１３３０Ａ〜１３３０Ｃは全体としてＬ字形であり、それぞれベース部材本体１３０５から遠位方向に延在する軸方向アーム部分１４０５およびこの軸方向アーム部分の遠位端部から半径方向内向きに延在する半径方向アーム部分１４１０を有し、この半径方向アーム部分がノッチ開口１３２５Ａ〜１３２５Ｃの少なくとも一部に延在している。さらに、フック１３３０Ａ〜１３３０Ｃは、開放した横端部１４１５および（横側壁が形成する）閉じた横端部１４２０を有する。この構成では、フック１３３０Ａ〜１３３０Ｃが、フックが構成する開放横端部１４１５を介してシャッター装置１２１０に設けられたロック作用タブを受け取る作用をもつ開放スロットを構成する。この閉じた横端部１４２０が回転制限部材（ｓｔｏｐ）として作用し、フック内のロック作用タブが閉じた横端部を超えて回転することがなくなる（従ってシャッター装置が回転することがなくなる）。即ち、シャッター装置１２１０のロック作用タブがフック１３３０Ａ〜１３３０Ｃ内に位置した後は、ロック作用タブが着座し、フックによってシャッター装置をベース部材１２０５に受け取ることができる。
【００２６】
図１５Ａ〜図１５Ｅについて説明すると、シャッター装置１２１０はシャッター部分１５０５、およびこれに結合した（例えば取り付けた）アイカップ部分１５１０を有する。シャッター部分１５０５はハウジング１５１５を有し、このハウジングが、ベース部材１２０５に結合する第１側部または端部即ち前方側部または端部１５２０Ａおよびアイカップ１５１０に結合する第２側部または端部即ち後方側部または端部１５２０Ｂを構成する。このハウジング１５１５は全体として環状であり、ハウジングの内面１５２２が開口またはチャネル１５２５を構成する。ハウジング１５１５は後ろ向き方向においてテーパー形態を取るため、前方側部１５２０Ａに沿うチャネル１５２５の直径が、後方側部１５２０Ｂに沿うチャネル１５２５の直径より大きくなる（即ち、ハウジングは全体として円錐台形（ｆｒｕｓｔｏｃｏｎｉｃａｌ）である）。さらに、ハウジング１５１５は細長いスロット１５２７を備え、このスロットはハウジングの後方側部１５２０Ｂに沿って形成され、ハウジング内に設けられたシャッター機構に対して全体としてアライメントしている（これについては以下により詳しく説明する）。
【００２７】
既述したように、ベース部材１２０５のフック１３３０Ａ〜１３３０Ｄに係合する複数のロック作用要素即ちタブは、本体の外面１５３２の所定の角度位置に設けることができる。図示の実施態様では、ハウジング１５１５は３つのロック作用タブ１５３０Ａ、１５３０Ｂ、１５３０Ｃを備え、それぞれのタブはハウジング１５１５の前方端部１５２０Ａに近接する本体外面１５３２から半径方向に延在し、かつ所定角度で離間配設され、ベース部材１２０５の対応するフック１３３０Ａ〜１３３０Ｃにアライメントする。図１５Ｅについて説明すると、各ロック作用タブ１５３０Ａ〜１５３０Ｃは全体として水平な部材からなり、この部材は先端縁部分１５３５および角度のついた縁部分即ち傾斜のついた縁部分１５４０を有する。さらに、ロック作用タブ１５３０Ａ、１５３０Ｂ、１５３０Ｃは全体として垂直な部材１５４５を有し、この部材は傾斜のついた縁部分１５４０に近接配置する。操作にさいしては、先端縁部分１５３５が、シャッター装置１２１０のベース部材１２０５への結合時にフック１３３０Ａ〜１３３０Ｃが形成するスロットに入り込む。この結果、（以下により詳しく説明するように）シャッター装置がベース部材に選択的に結合する。
【００２８】
アイカップ部分１５１０は、周囲の光を遮断するように構成する。一つの実施態様では、アイカップ部分１５１０はアイカップを有し、ベース部分１５４６はハウジング１５１５の後方端部１５２０Ｂに接続し、そしてリム部分１５４７がベース部分から後方に延在する。このベース部分１５４６は全体として円錐台形であればよい。アイカップ１５４７は、孔１６１０を取り囲む遮光材料からなる中実壁であればよい（図１６）。例えば、アイカップは硬質プラスチック材から形成してもよく、あるいは可撓材（エラストマー、ゴムなど）から形成することも可能である。図示のように、アイカップは全体として凹形である。即ち、最初に内側に湾曲してから、その後方（使用者に面する）端部１５４８に沿って外側に湾曲する。リム部分１５４７の後方端部１５４８は、眼窩にぴったり嵌るように輪郭を形成する。このように構成すると、目をリム部分１５４７に当てるだけで、アイカップで目を覆うことができ、光が入り込むことがなくなる。
【００２９】
図１６について説明すると、ハウジングの後方側部１５２０Ｂに近接するハウジング１５１５内に壁１６０５を設ける。この壁１６０５は、直径がハウジングチャネル１５２５の直径よりも小さい開口１６１０を有する。図示のように、開口１６１０は全体として楕円形である。シャッター装置１２１０はシャッター機構を有し、このシャッター機構が孔１６１０を選択的にカバーすることによってハウジング１５１５を通る光の量を制御する。図１５Ｂについて説明すると、シャッター機構は、固定シールド１５５０および変位可能なシールドまたはダイアフラム１５５５を有する。この固定シールド１５５０は、ハウジング１５１５の内面１５２２から半径方向内側に延在する全体として半環状形（即ちＣ字形）の平面部材とすることができる。さらに、固定シールド１５５０は、本体の内部チャネル１５２５の限定された部分の周囲において所定角度で延在する。例えば、固定シールドはシャッターチャネル１５２５の周囲から約９０°延在する。このように構成すると、固定シールドは内部チャネル１６１０を少なくとも部分的にブロックすることができる。操作時、この固定シールド１５５０は変位可能なシールド１５５５の支持体として機能し、変位可能シールドを閉じた位置に支持するとともに、変位可能なシールドが閉じた位置から開放位置に移動する間これを案内する。
【００３０】
変位可能なシールド１５５５は、固定シールドと連動して覗き孔のレンズを介して選択的な観察を可能にするもので、カバーを備え、このカバーと連絡するアクチュエータを備えているため、アクチュエータに手をかけることによってハウジング１５１５（従って開口１６１０）に対してカバーの向きを変えることができる。図１６の実施態様では、変位可能なシールド１５５５は、全体として半円形のカバー部分またはディスク部分１６２５およびこのカバー部分の上部領域から外側に延在するアクチュエータアーム部分またはレバー部分１６３０を有する。全体として平面で構成することができるディスク部分１６２５は寸法が開口１６１０よりも大きく、開口にアライメントしたさいに、このディスク部分が開口を実質的に、あるいは完全にカバーするため、ハウジング１５１５に光が入射することがなくなる。変位可能なシールド１５５５は、ハウジング壁の前方面（ベース部材に面する面）から（ハウジング軸またはチャネル軸に沿って）軸方向に延在し、アクチュエータアーム１６３０に沿う中間位置に設けられたピボットポスト１６３５によってハウジング壁１６０５にピボット作用により結合する。ディスク１６２５は、ハウジング１５１５に形成したスロット１５２７の幅よりもわずかに薄い。従って、ディスク１６２５がスロットを介して移動している間、これが実質的に光を遮断するため、光がスロット１５２７を介してハウジング１５１５に入射することがなくなる。
【００３１】
第１の回転制限部材即ち回転制限リブ１６４０は、ハウジング壁１６０５の前方面１６２０から延在する。この第１回転制限部材はディスク１６２５に係合し、第１方向（例えば図１６の観察点から時計方向）に所定の角度位置を超えてディスク１６２５が回転することを防止する。例えば、この回転制限部材はディスク１６２５がその閉鎖位置に回転してきたときに、ディスクの過剰回転を防止し、これによってディスクがその閉じた位置において開口を確実にブロックする。さらに、ディスク１６２５には、その前方側部から延在する第２回転制限部材１６４５を設けることができる。第２回転制限部材１６４５は、ディスクが第２方向（例えば図１６の観察点から反時計方向）に過剰回転することを防止するようになっている。例えば、第２回転制限部材１６４５がスロット１５２７に近接するハウジング１５１５の内面１５２２に係合し、ディスクがスロットを通り過ぎて、ハウジングから出ることを防止する。図示のように、回転制限部材１６４０、１６４５は、全体として細長いボスの形を取ることができる。
【００３２】
このように構成しているため、アクチュエータ１６３０に（矢印Ｆで示す）下向きの力が加わると、ディスク１６２５が（矢印Ｒで示す）回転し、開口１６１０とのアライメントから外れ、シャッター装置１２１０に光が入射し、観察者が防犯カバー１２００を透視できることになる。第２回転制限部材１６４５がハウジング１５１５に係合するまで、使用者がディスクを回転すればよい。変位可能なシールド１５５５の構成については、重量が偏心しているため、アクチュエータ１６３０を解除するだけで、ディスク１６２５が重力により回転し、ディスク１６２５がその閉じた位置に戻り、開口１６１０にアライメントする。あるいは、逆方向の（上向き）力を加えると、ディスク１６２５が第１回転制限部材１６４０に係合するまで（図１６の観察点から時計方向に）回転し、変位可能なシールド１５５５がその通常の閉じた位置に戻る。なお、シャッター装置は一体的な構造の装置として図示したが、他の実施態様では、ディスク部分１６２５およびアクチュエータ部分１６３０は相互に連絡する別体であってもよい。
【００３３】
上記のように構成すると、固定シールド１５５０および変位可能なシールド１５５５が連動して開口制限部材として機能し、シャッター装置１２１０の視野を制御できる。ある意味、シャッター機構は視野制限部材として機能する。即ち、変位してハウジング１５１５の開口１６１０を選択的にブロックする結果、光の入射がなくなる。（換言すると、シャッター機構は、アイカップ１５１０によって観察者がシャッター装置を透視することをブロックする）。
【００３４】
本発明装置の操作について図１７Ａおよび図１７Ｂを参照して説明する。最初に、ベース部材１２０５をドア１７１０の覗き孔１７０５にアライメントし、このベース部材を覗き穴の観察レンズに対して全体的に同軸にする。次に、（例えば剥離紙を剥がし、ベース部材をドアの表面に押し付けることによって）ベース部材１２０５をドアに固定する。ベース部材１２０５をドアに固定したなら、シャッター装置をベース部材に結合する。具体的には、シャッター装置１２１０をベース部材１２０５にアライメントし、回転させて向きを変え、ロック作用タブ１５３０Ａ、１５３０Ｂ、１５３０Ｃをフック開口１４１５に隣接配置する。シャッター装置１２１０をベース部材１２０５に軸方向に押圧してから、回転させ（例えば図１７Ｂの観察点から時計方向に回転させ）て、ロック作用タブ１５３０Ａ〜１５３０Ｃをフック１３３０Ａ〜１３３０Ｃの下にスライドする。シャッター装置１２１０を取り外す場合には、上記操作を逆に行えばよい。即ち、ロック作用タブ１５３０Ａ〜１５３０Ｃがフック１３３０Ａ〜１３３０Ｃから外れるまで、シャッター装置を逆方向（例えば反時計方向）に回転する。フックから外れたなら、ベース部材からシャッター部材１２１０を引き離し、各部材の係合/結合を外す。
【００３５】
操作開始時、装置１２００はその通常の閉じた位置にある。即ち、変位可能なシールド１５５５が固定シールド１５５０と連動して、ハウジング１５１５内の開口１６１０をブロックする。覗き穴を介して対象物体を安全確実に観察するために、観察者は目をアイカップ１５１０に位置させてから、アクチュエータ１６３０をピボット操作して、装置をその観察位置に置く。具体的には、アクチュエータ１６３０をピボット操作して、ディスク１６２５を半径方向外側に駆動し、ディスクをスロット１５２７に通し、開口１６１０を部分的あるいは完全に開ける（即ち、アライメントを解除する）。上記で説明したように、ディスク１６２５は、第２回転制限部材１６４５がスロット１５２７に近接するハウジング壁に係合するまで回転させることが可能である。即ち、ディスク１６２５はその通常の位置では、ハウジング内に完全に収容されている。観察位置では、ディスク１６２５はスロット１５２７を介してハウジング１５１５から一部が延在する。
【００３６】
観察位置では、観察者は防犯装置１２００および覗き孔１７０５を透視できる。変位可能なシールド１５５５（および場合によってはアクチュエータ１６３０）がスロット１５２７の幅よりもわずかに薄いため、スロットを介してハウジング１５１５に光が入射することはない。観察終了後は、観察者はアクチュエータ１６３０を離すだけでよく、重力作用によってシールド１５５５がその通常の閉じた位置に戻る。あるいは、観察者がアクチュエータ１６３５を手によって逆方向に回転させてもよく、変位可能なシールド１５５５がピボット作用によってその通常の閉じた位置に戻る。この状態で、観察者はアイカップ１５１０から目を離すことができる。
【００３７】
図１８Ａおよび図１８Ｂは、本発明の別な態様に従って構成した防犯装置を示す図である。図示のように、装置１８００はベース部材部分１８０５、およびこのベース部材のドアに面する側１８１５から遠位方向に延在する細長いシャフト部分１８１０からなる。シャフト１８１０は、中心チャネル１８２０を構成した中空円筒体である。ベース部材部分１８０５は上記と同じ構造（図１３）を有し、同様にシャッター装置１２１０は上記と同じ構造（図１５および図１６）を有する。この構成の場合、装置１８００それ自体がドアビューアー即ち覗き孔として機能し、シャフト１８１０がドアの横断方向に延在する（例えば、この装置１８００は既存の覗き孔に取り付けることができる）。図示の覗き穴設計はレンズのない一体構成であるが、（例えば広角レンズ系などの）レンズをシャフト内に設けると、ドアの外面に沿うエリアの観察角度を大きく取ることができる。なお、図示していないが、中空シャフトは、レンズがない場合よりも視野を広く確保できる一つか複数のレンズからなるレンズ系を有することができる。
【００３８】
図１９は、本発明の別な実施態様に従って構成したドアビューアー用防犯カバーを示す図である。この実施態様の防犯カバー装置１９００は、高さの異なる観察者に対処できる装置であり、例えば覗き孔の高さよりも身長が低い（子供などの）観察者も覗き穴１７０５を透視できる。図示のように、防犯カバー装置１９００は、ペリスコープ１９０５および上記と同様なシャッター装置１９１０からなる。ペリスコープ１９０５は、短いアーム１９２０Ａおよび長いアーム１９２０Ｂからなる第１Ｌ字形部材または管材１９１５および同様に短いアーム１９３０Ａおよび長いアーム１９３０Ｂからなる第２Ｌ字形部材または管材１９２５を有する。Ｌ字形部材１９１５、１９２５は、それぞれ第１、第２Ｌ字形チャネル１９３２Ａ、１９３２Ｂを構成した全体として中空体である。これらＬ字形部材１９１５、１９２５は伸縮自在に結合するため第２部材１９２５の長いアーム１９３０Ｂが第１部材１９１５の長いアーム１９２０Ｂ内にスライドし、第１部材に対して軸方向にスライドする。このように構成すると、第２部材１９２５を第１部材１９１５に対して軸方向に変位させることによって、ペリスコープ１９０５の全長を選択的に調節することができる（矢印Ｔで示す）。
【００３９】
さらに、ペリスコープは第１部材１９１５に対して第２部材１９２５の位置を固定する動作を行う固定部材１９３５を有する。例えば、この固定部材１９３５は、第１部材１９１５に挿入されるネジ付きボルトを有し、これが第２部材１９２５に摩擦係合するため、第２部材が第１部材に対してスライドすることはない。他の実施態様では、固定部材１９３５としてバネ偏奇タブ（例えばｖａｌｃｏタブ）を第２部材１９２５に設けてもよく、このタブはアライメント時に第１部材１９１５に形成した一連の軸方向にアライメントした穴に延在する。
【００４０】
第１部材１９１５および第２部材１９２５それぞれは、一つか複数の屈折素子または反射素子を有することができる。一つの実施態様では、第１部材１９１５には、第１反射または屈折素子１９５０Ａを第１Ｌ字形チャネル１９３２Ａの折り曲げ部に設けることができ、第２部材１９２５には、第２反射または屈折素子１９５０Ｂを第２Ｌ字形チャネル１９３２Ｂの折り曲げ部に設けることができる。この構成の場合、第１屈折または反射素子１９５０Ａが第２屈折または反射素子１９５０Ｂに対して（第１および第２の長いアームにそって）全体としてアライメントするとともに全体として平行になる。屈折または反射素子１９５０Ａ、１９５０Ｂは（例えば４５°の角度で設けた）鏡、プリズムあるいはこれらを組み合わせた形を取ることができる。この構成では、ペリスコープ１９０５は、覗き穴１７０５を介して観察された像をシャッター装置１９１０により外側に向ける。２つの屈折または反射素子を図示したが、これら部材１９１５、１９２５はプリズム、鏡、レンズなどで任意に（個数および/または位置に関して）構成することができる。
【００４１】
さらに、装置１９００はこの装置をドアに固定するか、および/またはこの装置をドアに安定して支持するブレースまたはブラケット１９６０を有する。このブレース１９６０は伸縮部材１９１５、１９２５に係合する結合リング１９６５、およびドア１７１０に接触して長いアーム１９２０Ｂ、１９３０Ｂをドア面に対して全体として平行に向けるＴ字形支持体１９７０を有する。ペリスコープ１９０５だけでなくブレース１９６０の両端は、さらに、（例えば接着剤などによって）ドア１７１０に開放自在に取り付けることができる。
【００４２】
別な実施態様では、短いアーム１９２０Ａ、１９３０Ａおよび/または長いアーム１９２０Ｂ、１９３０Ｂも伸縮セグメントを有し、これらセグメントは伸縮して装置１９００とドア１７１０との距離（水平距離）を変更できるものである。
【００４３】
操作にさいしては、第１部材の短いアーム１９２０Ａの開口１９８５を覗き孔１７０５に被せることによってこの覗き孔に近接するドア１７１０に装置１９００を結合する。上記のシャッター装置と同様なものを使用することができるシャッター装置１２１０を第２部材の短いアーム１９３０Ａが構成する開口１９９０に結合する。観察者は、固定部材１９３５に手をかけ、第２部材１９２５を解除することによってペリスコープ１９０５を調整することができる。第２部材１９２５を軸方向に移動すると、目的の高さになるまで、第１部材１９１５に対してこれを伸縮することができる。目的の高さになったなら、観察者１９９５は固定部材に手をかけ、上記部材１９１５、１９２５を固定する。固定後、観察者は、上記のようにシャッター装置１２１０を操作すればよい。
【００４４】
具体的な実施態様について詳細に本発明を説明してきたが、当業者にとっては、本発明の精神および範囲から逸脱しなくとも各種の変更、改変などを実施できることは明らかなはずである。例えば、シャッター装置にはギアシステムを設けることができ、この場合第１シャッター部材が、第２シャッター部材の対応する歯に係合する歯を有する。さらに、アイカップ部分にシャッターシステムを組み込むことができる。例えば、アイカップ部分は全体として弾性のある材料から構成することができ、リム１５４７と連絡する全体として弾性を示す内部ダイアフラムを有することができる。このダイアフラムは、全体として弾性を示すフラップまたはセグメントを備え、これらセグメントは開口を中心にして所定角度で離間配設する（例えば、各フラップは全体として三角形に構成することができる）。これらフラップについては、アイカップチャネル（開口）に対して全体として直交する第１位置即ち閉じた位置から、アイカップチャネルに対して全体として平行になる第２位置に回転する。具体的には、アイカップが軸方向に圧縮されると（例えば、観察者がアイカップのリム１５４７に目を押し当てると）、フラップが閉じた位置から前方に回転し、開放位置に来る。
【００４５】
即ち、本発明は、請求の範囲に記載した範囲および等価物に該当する限り、上記変更、改変などを包含するものである。なお、“上”、“下”、“前”、“後ろ”、“側”、“高さ”、“長さ”、“幅”、“上部”、“下部”、“内部”、“外部”などの用語は参照点を示すに過ぎず、本発明を特定の向きや構成に制限するものではない。
【符号の説明】
【００４６】
１０，４０，６０，８０，１１００，１２００：防犯カバー
１００：本体またはハウジング
１０５：円筒形の側壁
１１０：前方プレート
１１５：前方孔
１２０：後方プレート
１２５：後方孔即ち観察孔
１３０：アイカップまたはアイシールド
１３５：前方リム
２２５，４５５：偏奇部材
２４５：切頭領域
２５０：レバー
２５５：スロット
４２５Ａ，４２５Ｂ，６５０：レバー
６４０：シャッター部材
８００：ハウジング
８１５：前方孔
１２０５：ベース部材／結合部材
１２１０：シャッター装置
１３１２：中心開口または孔
１６０５：ハウジング壁
【図１Ａ】
2014535019.tif 000003
【図１Ｂ】
2014535019.tif 000004
【図２】
2014535019.tif 000005
【図３Ａ】
2014535019.tif 000006
【図３Ｂ】
2014535019.tif 000007
【図４】
2014535019.tif 000008
【図５Ａ】
2014535019.tif 000009
【図５Ｂ】
2014535019.tif 000010
【図６】
2014535019.tif 000011
【図７Ａ】
2014535019.tif 000012
【図７Ｂ】
2014535019.tif 000013
【図８】
2014535019.tif 000014
【図９Ａ】
2014535019.tif 000015
【図９Ｂ】
2014535019.tif 000016
【図１０Ａ】
2014535019.tif 000017
【図１０Ｂ】
2014535019.tif 000018
【図１０Ｃ】
2014535019.tif 000019
【図１１】
2014535019.tif 000020
【図１２Ａ】
2014535019.tif 000021
【図１２Ｂ】
2014535019.tif 000022
【図１３Ａ】
2014535019.tif 000023
【図１３Ｂ】
2014535019.tif 000024
【図１３Ｃ】
2014535019.tif 000025
【図１３Ｄ】
2014535019.tif 000026
【図１４】
2014535019.tif 000027
【図１５Ａ】
2014535019.tif 000028
【図１５Ｂ】
2014535019.tif 000029
【図１５Ｃ】
2014535019.tif 000030
【図１５Ｄ】
2014535019.tif 000031
【図１５Ｅ】
2014535019.tif 000032
【図１５Ｆ】
2014535019.tif 000033
【図１６】
2014535019.tif 000034
【図１７Ａ】
2014535019.tif 000035
【図１７Ｂ】
2014535019.tif 000036
【図１７Ｃ】
2014535019.tif 000037
【図１８Ａ】
2014535019.tif 000038
【図１８Ｂ】
2014535019.tif 000039
【図１９】
2014535019.tif 000040
【国際調査報告】
2014535019.tif 000041